(57)【特許請求の範囲】
【請求項１】
石材で形成され、前面開口部に左右に開閉する扉を設けた墓前用収納箱の内側に灰皿や鈴などの収納物を載置し、この収納物の底面に、環状溝を側面に形成した円板状連結部を接合すると共に、上面にガイドスリットを形成したガイド部材の一端側の底面に回転軸を突設して、この回転軸を、前記収納物を載置する台の上面に開孔した軸受孔に着脱自在に挿着して回転自在に支持すると共に、収納物の底面に接合した前記円板状連結部の環状溝に、前記ガイドスリットの両側縁部を嵌合させて、収納物をガイドスリットに沿って移動できると共に、水平方向に回転できるようにしたことを特徴とする墓前用収納箱の回転引出し構造。
【請求項２】
灰皿の側面に、金属コイルで形成した取っ手を突設したことを特徴とする請求項１記載の墓前用収納箱の回転引出し構造。
【発明の詳細な説明】
【０００１】
【発明の属する技術分野】
本発明は墓前用収納箱の内側に収納した灰皿や鈴などの収納物の回転引出し構造に関するものである。
【０００２】
【従来の技術】
一般に墓前に設置されている香炉は、前面を開口した筒状石材で形成され、この内側底面に線香台を形成したものや、ここに金属板で成形した灰皿を置いたものなどがある。
【０００３】
このように従来の香炉は前面を開口した筒状に形成されているので、火の付いたままの線香をそのままにしておくと、風で飛んで火災の原因になることがある。また露出したままとなるので、灰が飛散したり、塵やごみ、落ち葉などが入り込んで汚れる問題があった。
【０００４】
このため本発明者は、石材で形成され、前面開口部に左右に開閉する扉を設け、内側に香炉台を設けた墓前用収納箱を先に開発した。この墓前用収納箱は灰皿が内部の香炉台の上に設置されており、焼香を終えて帰る時に前面の扉を閉めることができるので、火災を防止できると共に、内部の汚れを防止することができる。
【０００５】
しかしながらこの灰皿は、狭い墓前用収納箱の内側に設けた香炉台の上に設置されているので、火を付けた線香を入れにくく、また灰の溜った灰皿も取出しにくいなどの問題があった。
【０００６】
【発明が解決しようとする課題】
本発明は上記問題を改善し、狭い墓前用収納箱の内側の設置されている灰皿や鈴などの収納物を、平行を保持した状態で水平に手前側に引出せると共に、灰の溜った灰皿の取外しも容易な墓前用収納箱の回転引出し構造を提供するものである。
【０００７】
【課題を解決するための手段】
本発明の請求項１記載の墓前用収納箱の回転引出し構造は、石材で形成され、前面開口部に左右に開閉する扉を設けた墓前用収納箱の内側に灰皿や鈴などの収納物を載置し、この収納物の底面に、環状溝を側面に形成した円板状連結部を接合すると共に、上面にガイドスリットを形成したガイド部材の一端側の底面に回転軸を突設して、この回転軸を、前記収納物を載置する台の上面に開孔した軸受孔に着脱自在に挿着して回転自在に支持すると共に、収納物の底面に接合した前記円板状連結部の環状溝に、前記ガイドスリットの両側縁部を嵌合させて、収納物をガイドスリットに沿って移動できると共に、水平方向に回転できるようにしたことを特徴とするものである。
【０００８】
本発明の請求項２記載の墓前用収納箱の回転引出し構造は、前記灰皿の側面に、金属コイルで形成した取っ手を突設したことを特徴とするものである。
【０００９】
【発明の実施の形態】
以下、本発明の実施の一形態を図１ないし図８を参照して詳細に説明する。図１において１は石材で形成された墓前用収納箱で、２はこの内部に設けられた香炉台、３はこの香炉台の上部に設けられた墓前用収納箱の回転引出し構造である。前記墓前用収納箱１は、石材で形成された箱状本体部４の内側中央に、逆Ｌ形の香炉台２が設けられ、前面に左右に開閉する扉５Ａ、５Ｂが取付けられている。
【００１０】
左右に開閉する扉５Ａ、５Ｂは図２に示すように、その背面側に取付板６Ａ、６Ｂが設けられ、扉５Ａ側の取付板６Ａには鈴７が取付けられ、扉５Ｂ側の取付板６Ｂにはロウソク立て８が取付けられている。また扉５Ａ、５Ｂの断面略三角形状に形成された軸取付部１０には図３に示すように底板１１から上方に突設した支持軸１２が挿着されて、開閉自在に支持されている。
【００１１】
また軸取付部１０の背面側はＪ形の切欠部１３が形成され、図１に示すように扉５Ａ、５Ｂを開いた状態で中央部に設けた香炉台２が正面から見えるようになっている。なお図３において１４は側面板１５と背面板１６の上部に設けられた煙抜き孔である。
【００１２】
また香炉台２の上部に取付けられた墓前用収納箱の回転引出し構造３は、図４および図５に示すように、ガイド部材１８と灰皿１９を組み合わせて構成されている。ガイド部材１８は、ステンレスやアルミニウムの角筒パイプ２０の一端側を開孔し、他端側を閉塞し、上面に長手方向に沿ってガイドスリット２１を設けたチャンネル状に形成されている。このチャンネル状に形成されたガイド部材１８の一端側の底面には金属パイプで形成された回転軸２２が突設されている。
【００１３】
このガイド部材１８の底面に突設された回転軸２２は、図４および図５に示すように香炉台２の上面に開孔した軸受孔２４に着脱自在に挿着され、ガイド部材１８を水平方向に回転できるように支持している。
【００１４】
また灰皿１９は、金属板を深絞り加工して、長方形の皿状に形成され、内側に金網２５が取付けられている。また灰皿１９の前面には金属コイルで形成された取っ手２６が取付けられていると共に、底面には図７に示すように円板状連結部２７が取付けられている。
【００１５】
この円板状連結部２７は円板の側面に環状溝２８を形成したもので、この環状溝２８を図４および図５に示すように、ガイド部材１８の開口部から挿入してガイドスリット２１の両側縁部を嵌合させて、灰皿１９をガイドスリット２１の長手方向に沿って移動できると共に、水平方向に回転できるように組み合わせたものである。
【００１６】
上記構成の墓前用収納箱の回転引出し構造３は、図２に示すように扉５Ａ、５Ｂを閉じた状態では、灰皿１９を香炉台２に沿って横方向になるように取付けられている。墓参に行って線香を上げる時に、扉５Ａ、５Ｂを左右に開くと、図１に示すように扉５Ａ、５Ｂの裏側の取付板６Ａ、６Ｂの上に取付けた鈴７とロウソク立て８が前方に引出される。
【００１７】
この後、灰皿１９の金属コイルで形成された取っ手２６をつまんで手前に引くと、図８に示すようにそのままスライドして前方に引出されてくる。つまり、灰皿１９は底面に取付けた円板状連結部２７がガイド部材１８のガイドスリット２１に嵌合しているので、灰皿１９を手前に引くと、ガイド部材１８は回転軸２２を回転中心として手前側に回転すると共に、円板状連結部２７はガイドスリット２１内を長手方向に沿って移動してくる。このとき、円板状連結部２７はガイドスリット２１内を水平方向に回転自在に支持されているので、円板状連結部２７とガイドスリット２１は相対的に回転した状態となり、灰皿１９が香炉台２と平行を保持した状態で水平に引出されてくる。
【００１８】
つまり、灰皿１９がガイドスリット２１内を長手方向に沿ってだけしか移動できないとすると、ガイド部材１８と平行に斜めになって引出されてしまうが、環状溝２８が形成されて水平方向に回転自在に支持されているので、香炉台２と平行を保持した状態で水平に引出すことができる。
【００１９】
この後、ロウソク立て８にロウソクを立てて点火し、このロウソクの炎で線香に火を付けて灰皿１９の金網２５の上に横にして置き、鈴７を鳴らして焼香を行なう。このように狭い墓前用収納箱１の奥に設置されている灰皿１９を、焼香する時には、手前側に引出せるので線香を立てるのが容易である。
【００２０】
また墓参りが終わったら、灰皿１９に取付けられた金属コイルで形成された取っ手２６をつまんで押し込んでいくと、ガイド部材１８は回転軸２２を回転中心として回転しながら、灰皿１９はそのままスライドして収納され香炉台２の上に設置される。この時、灰皿１９が線香の燃焼によって熱くなっていても、取っ手２６は金属コイルで形成され、熱伝達が少なく放熱性が良いので手でつまんでも熱くない。
【００２１】
この後、扉５Ａ、５Ｂを閉じると図２の状態となる。線香が燃焼したままの状態で、扉５Ａ、５Ｂを閉じても、煙は煙抜き孔１４から外部に排出される。このように扉５Ａ、５Ｂが閉じているので風が吹いても、火が付いたままの線香が飛散することなく安全である。また通常は扉５Ａ、５Ｂが閉じているので、灰皿１９内の灰が風で飛散したり、塵やごみ、落ち葉や雨水などが侵入せず内部が汚れるのを防止できる。
【００２２】
図９ないし図１１は本発明の他の実施の形態を示すもので、図１０に示すように箱状本体部４の内側中央に、逆Ｌ形の香炉台２が設けられ、この下方に鈴載置台３０が設けられている。この鈴載置台３０の上面片側に軸受孔２４が開孔されている。また鈴７は図１１に示すように、下部に支柱３１が取付けられ、この支柱３１の下部に円板状連結部２７が一体に設けられている。この円板状連結部２７の前面には棒状取っ手３２が接続されていると共に、この下部の周側面に環状溝２８が形成されている。
【００２３】
この環状溝２８は灰皿１９と同様に、角筒パイプ２０で形成されたガイド部材１８のガイドスリット２１の両側縁部に嵌合して、ガイドスリット２１の長手方向に沿って移動できると共に、水平方向に回転できるように組み合わされている。
【００２４】
なおガイド部材１８は前記と同様に、底面に回転軸２２が突設され、鈴載置台３０の上面に開孔され軸受孔２４に着脱自在に挿着され、ガイド部材１８を水平方向に回転できるように支持している。また左右の扉５Ａ、５Ｂには図９に示すように、その背面側に一体に設けた取付板６Ａ、６Ｂにそれぞれロウソク立て８、８が取付けられている。
【００２５】
上記構成の墓前用収納箱の回転引出し構造３は、図９に示すように扉５Ａ、５Ｂを左右に開くと扉５Ａ、５Ｂの裏側の取付板６Ａ、６Ｂの上に取付けたロウソク立て８、８が前方に引出されて、左右に配置される。
【００２６】
この後、前記と同様に灰皿１９を手前に引くと、そのままスライドして前方に引出されてくる。また図１１に示すように、鈴７に取り付けた棒状取っ手３２を手でつまんで手前に引き出してくると、ガイド部材１８は回転軸２２を回転中心として手前側に回転すると共に、円板状連結部２７はガイドスリット２１内を長手方向に沿って移動する。ガイド部材１８は水平方向に回転自在に支持されているので、円板状連結部２７とガイドスリット２１は相対的に回転した状態となり、鈴７は鈴載置台３０と平行を保持した状態で水平に引出されてくる。
【００２７】
なお上記説明では、扉５Ａ、５Ｂの裏側の取付板６Ａ、６Ｂに鈴７とロウソク立て８を取付けた構造について示したが、扉５Ａ、５Ｂだけの構造でも良い。またガイド部材１８はチャンネル状に限らずガイドスリット２１を形成したものであれば他の構造でも良い。
【００２８】
【発明の効果】
以上説明した如く本発明に係る請求項１記載の墓前用収納箱の回転引出し構造によれば、狭い墓前用収納箱の内側に設置されている灰皿や鈴を、平行を保持した状態で水平に手前側に引出せるので焼香が容易であると共に、灰の溜った灰皿の取外しも容易である。
【００２９】
また請求項２記載の墓前用収納箱の回転引出し構造によれば、灰皿の側面に、金属コイルで形成した取っ手を突設したので、手でつまんでも熱が伝達しにくく、引出しや収納が容易である。
【図面の簡単な説明】
【図１】本発明の実施の一形態による墓前用収納箱の扉を開いて灰皿を引出した状態を示す斜視図である。
【図２】図１の扉を閉じた状態を示す墓前用収納箱の水平断面図である。
【図３】図１の墓前用収納箱を示す縦断側面図である。
【図４】香炉台に取付けた回転引出し型灰皿を示す縦断正面図である。
【図５】図４の回転引出し型灰皿を示す縦断側面図である。
【図６】ガイド部材を示す斜視図である。
【図７】灰皿を反転して示す斜視図である。
【図８】灰皿の動作を示す平面図である。
【図９】本発明の他の実施の形態による墓前用収納箱の扉を開いて灰皿と鈴を引出した状態を示す斜視図である。
【図１０】図９の墓前用収納箱を示す縦断側面図である。
【図１１】鈴の回転引出し動作を示す斜視図である。
【符号の説明】
１    墓前用収納箱
２    香炉台
３    墓前用収納箱の回転引出し構造
４    箱状本体部
５Ａ  扉
６Ａ  取付板
７    鈴
８    ロウソク立て
１０  軸取付部
１１  底板
１２  支持軸
１３  Ｊ形の切欠部
１４  煙抜き孔
１５  側面板
１６  背面板
１８  ガイド部材
１９  灰皿
２０  角筒パイプ
２１  ガイドスリット
２２  回転軸
２４  軸受孔
２５  金網
２６  取っ手
２７  円板状連結部
２８  環状溝
３０  鈴載置台
３２  棒状取っ手
【図１】
0003832811.tif 000002
【図２】
0003832811.tif 000003
【図３】
0003832811.tif 000004
【図４】
0003832811.tif 000005
【図５】
0003832811.tif 000006
【図６】
0003832811.tif 000007
【図７】
0003832811.tif 000008
【図８】
0003832811.tif 000009
【図９】
0003832811.tif 000010
【図１０】
0003832811.tif 000011
【図１１】
0003832811.tif 000012